(57)【要約】      （修正有）【課題】指のサイズよりも指輪のサイズが小さい場合でも締め付けすぎの状態が解消されて、長時間の装着にも堪えることが可能であり、かつその組み付けも簡単なフリーサイズ指輪を提供する。【解決手段】リングの大部分を構成する複数の第１リング部材２１ａ〜２１ｃと、各部材を連結する止ネジ２２と、リングの一部として配置された左右一対の第２リング部材３１ａ，３１ｂと、第２リング部材の突き合わせ位置に設けたスリット部３３に組み付けられて側面にガイド孔３４を設けたガイド部材３２とで構成され、第１リング部材との間を止ネジで連結されたサイズ調整部材２３とを備え、第２リング部材のスリット部に設けたピン３５をガイド部材のガイド孔にはめ込んでスライド可能とするとともに、サイズ調整部材を用いて長さ調整した状態で止ネジを締め付けて固定する。【選択図】図１
0003189983.tif 000002
【実用新案登録請求の範囲】
【請求項１】
リングの大部分を構成する複数の第１リング部材と、
前記各部材を連結する止ネジと、
前記リングの一部として配置された左右一対の第２リング部材と、前記第２リング部材の突き合わせ位置に設けたスリット部に組み付けられて側面にガイド孔を設けたガイド部材とで構成され、前記第１リング部材との間を止ネジで連結されたサイズ調整部材とを備え、
前記第２リング部材のスリット部に設けたピンを前記ガイド部材のガイド孔にはめ込んでスライド可能とするとともに、
前記サイズ調整部材を用いて長さ調整した状態で前記止ネジを締め付けて固定することにより、サイズ調整するようにしたことを特徴とするフリーサイズ指輪。
【請求項２】
前記各部材を連結する止ネジが、各部材の連結位置に設けた凸片とこの凸片を挟み付けるコ字状片とを連通するように形成したネジ孔に取り付けられていることを特徴とする請求項１に記載のフリーサイズ指輪。
【考案の詳細な説明】
【技術分野】
【０００１】
本考案はフリーサイズ指輪に係るものである。
【背景技術】
【０００２】
従来より、リング状の形状を保ちながら、指にフィットさせられるフリーサイズ指輪を提供することが望まれている。
【０００３】
そのため、特開２００２−３５５１０７号公報（特許文献１参照）には、円環状態を保ちながら、指に適切にフィットさせることができるフリーサイズ機能を持った指輪を提供するため、回動環構成体とスライド側環構成体とは、スライド側環構成体に形成されたガイド孔に回動環構成体に備え付けられた案内ピンを入れ込ませて組み付けられている。回動環構成体と軸受け側環構成体とは、回動軸によって回動環構成体の指輪の内径を広げさせる向きの回動を許容した状態で組み付けられている。軸受け側環構成体の内側には、バネの一端を一方の回動環構成体の一端部における回動軸より先の末端部に内側から押し当てさせ、かつ、バネの他端を他方の回動環構成体の一端部における回動軸より先の末端部に内側から押し当てさせる板バネが備えられた構造となっている。
【０００４】
また、特許第４４２３４４８号公報（特許文献２参照）には、円弧形状からなる複数の片を連結し、環状体を形成した指輪であって、前記環状体の一部を構成し内部寸法の調節に用いられる調節片と、前記調節片に連結され前記環状体の残部を構成する複数の連結片とを具備し、前記調節片及びこれに連接する前記連結辺には、一方が他方側に向けて延在し内部に溝部が形成された挿入部を有し、他方が前記挿入部を収容する収容部と、前記収容部内に配置され前記溝部内を段階的に移動可能な保持部材とを有して、前記調節片とこれに隣接する前記連結片とを離接する離接機構を備えたことを特徴とする指輪。が提案されている。
【先行技術文献】
【特許文献】
【０００５】
【特許文献１】特開２００２−３５５１０７号公報
【特許文献２】特許第４４２３４４８号公報
【考案の概要】
【考案が解決しようとする課題】
【０００６】
しかるに、特開２００２−３５５１０７号公報（特許文献１参照）においては、前記板バネの弾性変形によって一対の回動環構成体は指輪の内径を狭めさせる向きの付勢力を付与しており、前記板バネの両端部にはそれぞれ前記回動環構成体の末端部によって当該両端部を指輪の内方に押し込ませる向きの伸縮方向の力が作用するので、指のサイズよりも指輪のサイズが小さい場合には非常に強い板バネの反発力が作用して締め付けすぎの状態となり、長時間の装着には堪えられないようになってしまう。
【０００７】
また、特許第４４２３４４８号公報（特許文献２参照）においては、前記収容部内に配置され前記溝部内を段階的に移動可能な保持部材とを備えており、サイズの調整が段階的に行われるために指にフィットした指輪を得ることが難しく、製造面においても細かくて複雑な切削加工が必要であって、そのことがコストアップの要因となっていた。
【０００８】
本考案は従来の前記各フリーサイズ指輪の問題点を改良したものである。
すなわち、指のサイズよりも指輪のサイズが小さい場合でも締め付けすぎの状態が解消されて、長時間の装着にも堪えることが可能であり、また部品点数が少なく、その組み付けも簡単なフリーサイズ指輪を提供しようとするものである。
【課題を解決するための手段】
【０００９】
すなわちこの考案のフリーサイズ指輪は、リングの大部分を構成する複数の第１リング部材と、
前記各部材を連結する止ネジと、
前記リングの一部として配置された左右一対の第２リング部材と、前記第２リング部材の突き合わせ位置に設けたスリット部に組み付けられて側面にガイド孔を設けたガイド部材とで構成され、前記第１リング部材との間を止ネジで連結されたサイズ調整部材とを備え、
前記第２リング部材のスリット部に設けたピンを前記ガイド部材のガイド孔にはめ込んでスライド可能とするとともに、
前記サイズ調整部材を用いて長さ調整した状態で前記止ネジを締め付けて固定することにより、サイズ調整するようにしたことを特徴とするものである。
【００１０】
この考案のフリーサイズ指輪において、前記各部材を連結する止ネジが、各部材の連結位置に設けた凸片とこの凸片を挟み付けるコ字状片とを連通するように形成したネジ孔に取り付けられていることをも特徴とするものである。
【考案の効果】
【００１１】
この考案によれば、指等の被装着物のサイズよりも指輪等の装身具のサイズが小さい場合でも、締め付けすぎの状態が解消されて長時間の装着にも堪えることが可能であり、また部品点数が少なく、その組み付けも簡単なフリーサイズ指輪を提供することが可能となった。
【図面の簡単な説明】
【００１２】
【図１】本考案のフリーサイズ指輪の１実施例を示す正面図である。
【図２】その平面図である。
【図３】その底面図である。
【図４】その斜視図である。
【図５】その断面図である。
【図６】サイズ調整部材を組み付ける状態を示す斜視図である。
【図７】その断面図である。
【図８】サイズを大きくする状態を示す正面図である。
【図９】その断面図である。
【図１０】その斜視図である。
【考案を実施するための形態】
【００１３】
以下、図面に基いて本考案のフリーサイズ指輪の実施の形態について詳細に説明する。
図１ないし図１０は本考案のフリーサイズ指輪の１実施例を示すものである。
本考案の指輪１１の常態を示す図１ないし図５において、前記指輪１１はリングの大部分を構成する複数の第１リング部材２１ａ，２１ｂ，２１ｃと、前記各部材を２１ａ，２１ｂ，２１ｃをそれぞれ連結する止ネジ２２と、前記リングの一部として配置され、前記第１リング部材２１ａ，２１ｂ，２１ｃとの間を止ネジ２２で連結されたサイズ調整部材２３とで構成されている。
【００１４】
前記サイズ調整部材２３はより詳細には、図６及び図７に示すように、左右一対の第２リング部材３１ａ，３１ｂと、前記第２リング部材３１ａ，３１ｂの突き合わせ位置に設けたスリット部３３に組み付けられ、側面にガイド孔３４を設けたガイド部材３２とで構成されている。
そして、前記第２リング部材３１ａ，３１ｂのスリット部３３を貫通するよう取り付けたピン３５を前記ガイド部材３２のガイド孔３４にはめ込んでスライド可能に組み付けてある。
したがって、図８および図９に示すように、前記サイズ調整部材２３を用いて長さ調整した状態で、前記止ネジ２２を締め付けて固定すれば、指のサイズに応じた所定のリング径にサイズ調整することができる。図１０はその斜視図である。
【００１５】
上記実施例における説明では、ガイド孔３４をガイド部材３２に形成し、ピン３５を第２リング部材３１ａ，３１ｂのスリット部３３に差し渡されるように設けているが、ガイド孔３４をガイド溝に置き換え、第２リング部材３１ａ，３１ｂのスリット部３３に内向きにピン３５を取り付けて、前記ガイド部材３２に設けたガイド溝に両側からピンがはめ込まれるようにしてもよいことは勿論である。
【００１６】
なお、前記各部材を連結する止ネジ２２は、複数の第１リング部材２１ａ，２１ｂ，２１ｃの連結位置や第１リング部材２１ａ，２１ｂ，２１ｃと第２リング部材３１ａ，３１ｂとの連結位置の一方の側に設けた凸片４１と、この凸片４１を挟み付けるように連結位置の他方の側に設けたコ字状片４２とを連通するよう形成したネジ孔４３に取り付けられている。
この止ネジ２２はそのネジ山の幅を狭くし、ねじ込んだ際に止ネジ２２が簡単に緩まないようにしておくことが望ましい。
【００１７】
本実施例の指輪１１を指に装着する場合について説明すると、図８に示した第１リング部材２１ａ，２１ｂと第２リング部材３１ａ，３１ｂとの連結位置に取り付けた止ネジ２２を緩め、前記第２リング部材３１ａ，３１ｂの取付角度を変えてその先端の幅を拡げると、自動的にピン３５は前記ガイド部材３２のガイド孔３４をスライドして指輪１１の径を拡げることとなる。その後止ネジ２２を締め付けると、前記第２リング部材３１ａ，３１ｂ間の前記ガイド部材３２の差し渡し幅が拡がり、指輪１１はそのサイズを大きくした状態で固定されることとなる。
なお、前記第２リング部材３１ａ，３１ｂの連結角度を変えただけでは指輪１１が細長くなってしまうので、第１リング部材２１ａ，２１ｂと第２リング部材３１ａ，３１ｂとの連結角度をも止ネジ２２を操作して変えることにより、指輪１１の形状を円に近づけることが望ましい。
【００１８】
本考案においてはあらかじめ指輪１１を装着する指の径を計測しておき、前記止ネジ２２を操作して指輪１１のサイズを調整しておくことができる。
また、指に指輪１１をはめ込んだ状態で前記止ネジ２２を操作して指輪１１のサイズを指に合わせて調整することもできる。
【００１９】
本考案において使用される素材としては、通常の指輪に使用される貴金属素材、例えば金や銀、プラチナのみならず、チタン等の金属やセラミック等を各部材に使用することができ、同様の素材を前記止ネジやガイド部材の素材として利用することもできる。
【産業上の利用可能性】
【００２０】
本考案は以上の通りの構成を有するものであり、指の径に合せたサイズとすることができるため、指に強く圧着することなく装着することができるものであり、長時間の装着にも痛みを伴わないという大きな利点がある。
また、前記サイズ調整部材を目立たない位置に内蔵させることができ、また単純な構造を採用したのでコスト面でも有利であり、前記サイズ調整部材が装飾性を損なうこともないので、装飾性に優れた指輪を提供することが可能となる。
【００２１】
以上、本考案を指輪をもって説明したが、装飾部材を複数に分割して構成するその他の装身具に適用できることは勿論であり、例えばブレスレットやアンクレット等にも用いることができる。
【符号の説明】
【００２２】
１１  指輪
２１ａ，２１ｂ，２１ｃ  第１リング部材
２２  止ネジ
２３  サイズ調整部材
３１ａ，３１ｂ  第２リング部材
３２  ガイド部材
３３  スリット部
３４  ガイド孔
３５  ピン
４１  凸片
４２  コ字状片
４３  ネジ孔
【図１】
0003189983.tif 000003
【図２】
0003189983.tif 000004
【図３】
0003189983.tif 000005
【図４】
0003189983.tif 000006
【図５】
0003189983.tif 000007
【図６】
0003189983.tif 000008
【図７】
0003189983.tif 000009
【図８】
0003189983.tif 000010
【図９】
0003189983.tif 000011
【図１０】
0003189983.tif 000012